(57)【要約】【課題】被挟持物を挟む場合や被挟持物から外す際にクリップを摘んで開きやすい構造のクリップ付筆記具を提供することを目的とする。【解決手段】クリップが、先端から支持部までの前方部と当該支持部より後方の後方部とからなり、クリップの後方部である後部外表面を筒体の軸心に沿った方向に略並行する平地とし、且つ前記クリップの前方部である前部外表面を前記後部外表面の前端に位置する屈曲部から筒体の側面に近づく方向へ傾斜させた傾斜面としたことを特徴とするクリップ付筆記具。【選択図】図２
2008168434.tif 000002
【特許請求の範囲】
【請求項１】
筆記具を構成する筒体の側面に設けた支持部にクリップを支承し、弾発部材により前記クリップの先端部を前記筒体の側面側へ常時弾発させる構造のクリップ付筆記具において、前記クリップが、先端から支持部までの前方部と当該支持部より後方の後方部とからなり、前記クリップの後方部である後部外表面を前記筒体の軸心に沿った方向に略並行する平地とし、且つ前記クリップの前方部である前部外表面を前記後部外表面の前端に位置する屈曲部から前記筒体の側面に近づく方向へ傾斜させた傾斜面としたことを特徴とするクリップ付筆記具。
【請求項２】
前記クリップの屈曲部の曲げ角度が５度以上２０度以下であることを特徴とする請求項１に記載のクリップ付筆記具。
【発明の詳細な説明】
【技術分野】
【０００１】
本発明は、クリップ付の筆記具に関し、さらに詳しくは、筆記具を構成する筒体の側面に設けた支持部にクリップを支承し、弾発部材によりクリップの先端部を筒体の側面側へ常時弾発させる構造のクリップ付筆記具に関する。
【背景技術】
【０００２】
従来からクリップ付筆記具では、実開昭５５−１４８９９０号公報に開示されているように、クリップの挟持力や耐用強度を向上させるために、コイルバネや板バネ等の弾発部材を用いることによって、クリップの先端部を軸筒の側面側へ常時弾発させる構造のものが存在する。この様な筆記具のクリップは、クリップの後方部を軸筒側へ押圧することで弾発部材を弾性変形させ、クリップの先端部を軸筒から離間して、クリップと軸筒との間に被挟持物を挟む構造である。
【特許文献１】「実開昭５５−１４８９９０号公報」
【発明の開示】
【発明が解決しようとする課題】
【０００３】
ところで前述したクリップ付筆記具は、図４に示すように筆記具１０の軸筒２０に装着したクリップ３０の表面が、軸筒２０の側面に対して前方から後方へ向かって軸筒から離間する方向へ緩やかに傾斜する全体的に平たいものとなっている。このクリップ３０を例えば胸ポケットに挟持させた状態から取り外す際には、クリップ３０の後方部４０を摘んでコイルスプリング５０を圧縮して外すこととなるが、クリップ３０を支承している支持部６０の真上（Ａ地点）や、支時部６０から前方となる前方部７０を摘んでしまう場合があり、クリップ３０が開くための回転動作が行えずに取り外しにくいことが間々あった。同じ理由でクリップ３０で被挟持物を挟む際にも開きにくいことがある。
【０００４】
本発明はこうした問題を鑑みて、被挟持物を挟む場合や被挟持物から外す際に、クリップを摘んで開きやすい構造のクリップ付筆記具を提供することを目的とする。
【課題を解決するための手段】
【０００５】
本発明は、
「１．筆記具を構成する筒体の側面に設けた支持部にクリップを支承し、弾発部材により前記クリップの先端部を前記筒体の側面側へ常時弾発させる構造のクリップ付筆記具において、前記クリップが、先端から支持部までの前方部と当該支持部より後方の後方部とからなり、前記クリップの後方部である後部外表面を前記筒体の軸心に沿った方向に略並行する平地とし、且つ前記クリップの前方部である前部外表面を前記後部外表面の前端に位置する屈曲部から前記筒体の側面に近づく方向へ傾斜させた傾斜面としたことを特徴とするクリップ付筆記具。
２．前記クリップの屈曲部の曲げ角度が５度以上２０度以下であることを特徴とする１項に記載のクリップ付筆記具。」
である。
【０００６】
クリップは当該クリップの支持部の真上を含む前部外表面を傾斜させ、反対に支持部より後方となる後部外表面を筒体の軸心に沿った方向に対して略並行である平地とすることにより、使用者がクリップを開くための箇所を容易に把握できるようにさせる。また、クリップの前部外表面と後部外表面とが連接する位置となる屈曲部の曲げ角度、つまり軸線に沿った方向に略平行な後部外表面に対する前部外表面の傾斜角度が小さすぎると、使用者がクリップ表面の変化に気が付きにくく、また傾斜角度が大きすぎると結果的にクリップの後方部が当該クリップを取り付けてある筒体の側面に対して離れすぎてしまうので、屈曲部の傾斜角度は５度から２０度の間で設定することが好ましい。
【発明の効果】
【０００７】
本発明によるクリップ付筆記具は、クリップが被挟持物を挟持する前方部の前端外表面と、クリップを摘んで開く後方部の後部外表面とが屈曲部を介して明確に区分けされていることから、使用者がクリップを摘む際に指先の触感で後部外表面を認識してクリップを容易に開くことができるものとなる。さらに屈曲部の角度を５度から２０度の間で設定することにより、使用者の触覚が明確に違いを判断して摘む箇所の把握ができると共に、クリップが筒体に対して離れすぎることがないものとなる。
【発明を実施するための最良の形態】
【０００８】
次に図面を参照しながら、本発明のクリップ付筆記具の実施例を説明するが、本発明は以下の実施例に限定されるものではない。また図中の同じ部材、同じ部品については、同じ符号としてある。本実施例では、筆記先端がある側を前方とし反対側を後方として表現する。
【０００９】
図１は本発明の第一の実施例であるクリップ付筆記具の要部側面図であり、図２は図１の斜視図である。筆記具１は軸筒２の側面に形成した支持部３にクリップ４を装着してある。クリップ４は表面板４ａと表面板４ａから軸筒２側へ向かって垂設した側面板４ｂとを有し、側面板４ｂに形成した丸孔４ｃを軸筒２の支持部３に形成した支軸３ａに軸支させると共に、軸筒２の後部に設けた平地部２ａと表面板４ａの裏面との間へ弾発部材であるコイルスプリング５を配設し、クリップ４の先端部４ｄ側を軸筒２の側面に常時弾発させている。筆記具１は軸筒２の後部に配設したスライダー１ａを摺動させることで、軸筒の先端開口部（図示せず）から筆記先端であるボールペンチップ（図示せず）を出没させる繰出式ボールペンである。
【００１０】
また、クリップ４の表面板４ａは軸筒２の支軸３ａより後方部である後方部４ｅの後部外表面４ｆと、支持部３の支軸３ａの真上（Ａ地点）を含む前方部４ｇの前部外表面４ｈとを有している。後方部４ｅの後部外表面４ｆは軸筒２の軸心Ｂに対して並行である平地とし、前方部４ｇの前部外表面４ｈは後部外表面４ｆに対して８度で傾斜させている。前部外表面４ｈは後部外表面４ｆに対して屈曲部４ｉにて連接し、屈曲部４ｉは支軸３ａの真上（Ａ地点）より後方としてある。
【００１１】
図３は本実施例のクリップ付筆記具を胸ポケットに装着した状態の図である。図に示すように使用者はクリップ４を胸ポケット１００から取り外す際に、クリップ４を開放するために後部外表面４ｇだけを摘むことができた。この時使用者は、指先がクリップ４の前部外表面４ｈと後部外表面４ｆとの境を明確とする屈曲部４ｉの尖った感触によって、容易に後部外表面４ｆの方だけに力を掛けてコイルスプリング５を圧縮しながらクリップ４を開くことができる。
【産業上の利用可能性】
【００１２】
本願発明によるクリップ付筆記具は、クリップを軸筒の側面に付設したもの以外にも、クリップを筆記先端部を保護するキャップの側面に付設したボールペンや万年筆あるいはマーカー等の種々の筆記具に用いることができる。
【図面の簡単な説明】
【００１３】
【図１】本実施例であるクリップ付筆記具の要部側面図である。
【図２】図１の斜視図である。
【図３】本実施例のクリップ付筆記具を胸ポケットに装着した状態の図である。
【図４】従来のクリップ付筆記具の要部側面図である。
【符号の説明】
【００１４】
１…筆記具、１ａ…スライダー、２…軸筒、２ａ…平地部、
３…支持部、３ａ…支軸、
４…クリップ、
４ａ…表面板、４ｂ…側面板、４ｃ…丸孔、４ｄ…先端部、
４ｅ…後方部、４ｆ…後部外表面、４ｇ…前方部、４ｈ…前部外表面、
４ｉ…屈曲部
５…コイルスプリング。
【図１】
2008168434.tif 000003
【図２】
2008168434.tif 000004
【図３】
2008168434.tif 000005
【図４】
2008168434.tif 000006